(57)【特許請求の範囲】
【請求項１】
ロータリ耕耘部（１１）の上方をメインカバー（１３）で覆うと共に、ロータリ耕耘部（１１）の後方をリヤカバー（１６）で覆うロータリ耕耘装置であって、前記メインカバー（１３）の上方にツールバー（３４）を横設し、当該ツールバー（３４）に、ロータリ耕耘部（１１）とリヤカバー（１６）との間に設置する作業機（３６）を着脱自在に取り付け可能になし、前記リヤカバー（１６）をロータリ耕耘部（１１）に対して接近する普通耕耘位置（Ａ）、後方に離間する深耕位置（Ｂ）、該深耕位置（Ｂ）よりさらに後方に離間してロータリ耕耘部（１１）とリヤカバー（１６）間に作業機（３６）を設置する複合作業位置（Ｃ）に前後移動自在にしたことを特徴とするロータリ耕耘装置。
【請求項２】
前記メインカバー（１３）の後部に仕切体（３８）を設け、該仕切体（３８）をロータリ耕耘部（１１）により耕耘される耕耘土を持ち回るようにロータリ耕耘部（１１）に接近する持回り姿勢（Ｘ）と、耕耘土をリヤカバー（１６）側に排出する排出姿勢（Ｙ）とに切換自在になしたことを特徴とする請求項１のロータリ耕耘装置。
【請求項３】
前記リヤカバー（１６）を前後方向にスライド自在に支持したことを特徴とする請求項１又は２のロータリ耕耘装置。
【発明の詳細な説明】
【０００１】
【発明の属する技術分野】
この発明は、ロータリの回転により圃場の耕耘を行うロータリ耕耘装置に関する。
【０００２】
【従来の技術と発明が解決しようとする課題】
従来耕耘爪を回転させて圃場の耕耘を行うロータリを使用したロータリ耕耘装置が知られており、該ロータリ耕耘装置をトラクタに連結して水田や畑等の圃場において耕耘作業を行うことが可能となっている。このときロータリは、上方がメインカバーにより、後方がリヤカバーによりそれぞれ覆われており、ロータリ耕耘装置の機体側に回動自在に支持されたリヤカバーにより、後方に排出される耕耘土の均平を行う。
【０００３】
なおロータリにより耕耘される耕耘土は、ロータリとメインカバーとの間で前方側に持ち回され、この耕耘土の持ち回り時に土塊が砕土されて砕土性が向上するとともに、圃場の凹凸を持回り土で埋め均すことにより均平性が向上せしめられるように構成されている。
【０００４】
ただし上記耕耘土の持ち回り性は、メインカバーの後端が圃場面により近く、またリヤカバーがロータリにより近い方が高くなるが、これに反してメインカバーの後端が圃場面に近づくに従って、またリヤカバーがロータリに近づくに従って耕耘土のメインカバーから後方への排出性が低くなる。このため通常は耕耘土の持ち回り性と排出性のバランスが取れる位置にメインカバーの後端を位置させ、該後端位置にリヤカバーの前端を軸支している。
【０００５】
このため従来のロータリ耕耘装置は、浅耕時には耕耘土の持ち回りが減少して均平性能が低下し、また深耕時には耕耘土の持ち回り量が増大して持回り土によるトラクタ本体への負荷が増大し、円滑な耕耘作業を行うことができないという欠点があり、円滑な作業を行うことができる耕耘深さの範囲が小さく、主に水田において使用するロータリ耕耘装置と、主に畑において使用するロータリ耕耘装置の２つの耕耘装置が必要となっていた。
【０００６】
【課題を解決するための手段】
上記課題を解決するための本発明のロータリ耕耘装置は、ロータリ耕耘部１１の上方をメインカバー１３で覆うと共に、ロータリ耕耘部１１の後方をリヤカバー１６で覆うロータリ耕耘装置であって、前記メインカバー１３の上方にツールバー３４を横設し、当該ツールバー３４に、ロータリ耕耘部１１とリヤカバー１６との間に設置する作業機３６を着脱自在に取り付け可能になし、前記リヤカバー１６をロータリ耕耘部１１に対して接近する普通耕耘位置Ａ、後方に離間する深耕位置Ｂ、該深耕位置Ｂよりさらに後方に離間してロータリ耕耘部１１とリヤカバー１６間に作業機３６を設置する複合作業位置Ｃに前後移動自在にしたことを第１の特徴としている。
【０００７】
第２に前記メインカバー１３の後部に仕切体３８を設け、該仕切体３８をロータリ耕耘部１１により耕耘される耕耘土を持ち回るようにロータリ耕耘部１１に接近する持回り姿勢Ｘと、耕耘土をリヤカバー１６側に排出する排出姿勢Ｙとに切換自在になしたことを特徴としている。
【０００８】
第３に前記リヤカバー１６を前後方向にスライド自在に支持したことを特徴としている。
【０００９】
【発明の実施の形態】
図１，図２は本発明のロータリ耕耘装置の側面図及び平面図である。該ロータリ耕耘装置１は、図示しないトラクタに連結され、トラクタの走行に伴い圃場の耕耘作業を行う従来公知のものであり、トラクタ側より入力軸２を介してＰＴＯ動力が入力されるギヤケース３からパイプフレーム４が左右に突設されており、該パイプフレーム４の一方（左）の外端部にチェーンケース６が、他方（右）の外端部にサイドフレーム7がそれぞれ一体的に取り付けられている。
【００１０】
このとき上記チェーンケース６及びサイドフレーム７は、共に下方に延出せしめられており、該サイドフレーム７とチェーンケース６の下部の間には従来同様爪軸８が回転自在に軸支されている。そして該爪軸８に圃場の耕耘作業を行う耕耘爪９が複数取り付けられ、爪軸８及び耕耘爪９等によってロータリ耕耘部１１を構成している。
【００１１】
上記構造により、ギヤケース３に入力される駆動力がチェーンケース６を介して爪軸８に入力され、該爪軸８がダウンカット方向に回転駆動されロータリ耕耘部１１（耕耘爪９）が圃場の耕耘作業を行う。なおギヤケース３の上部にはトップマスト１２が取付けられており、従来同様該トップマスト１２の前端部が、ロータリ耕耘装置１とトラクタとの連結点の１つとなっている。
【００１２】
上記ロータリ耕耘部１１は、チェーンケース６とサイドフレーム７との間に設けられたメインカバー１３によって上方側が、該メインカバー１３の左右両側に設けられたサイドカバー１４により側方上方側が、メインカバー１３の後方に配されるリヤカバー１６によって後方側がそれぞれ覆われている。なおリヤカバー１６は連結機構を介して上記メインカバー１３側に前後スライド及び上下回動自在に支持されている。
【００１３】
上記連結機構は、メインカバー１３の上面における左右両側に突設されたブラケット１７と、該ブラケット１７の左右両側面側に回動自在に軸支されたローラ１８と、該ローラ１８を内収する略チャンネル状のスライドフレーム１９と、左右のスライドフレーム１９の後端に固定されて横設される横フレーム２１等から構成されている。
【００１４】
そして上記ローラ１８は各ブラケット１７の前後に設けられており、すなわちスライドフレーム１９はローラ１８を介してブラケット１７に前後スライド自在に支持せしめられている。
【００１５】
一方上記トップマスト１２には、前後揺動自在に操作レバー２２が軸支されており、該操作レバー２２と一体的に回動する支点軸２３には、アーム２４が固定されている。また前記横フレーム２１の左右方向の略中央からはブラケット２６が突設されている。
【００１６】
そして該ブラケット２６とアーム２４とがロッド２７を介して連結されており、これにより操作レバー２２の前後揺動操作により、アーム２４が前後に揺動し、ロッド２７が前後方向に移動するため、ブラケット２６を介してスライドフレーム１９が前後にスライド操作される。
【００１７】
なお上記横フレーム２１の左右両側に設けられたボス２１ａに、リヤカバー１６の前端から左右に突設された支点軸１６ａが回動自在に挿入されているとともに、リヤカバー１６及び横フレーム２１の左右両側に突設されたブラケット２８，２９がロッド３１を介して連結されており、リヤカバー１６は以上のようにロッド３１により下降限が規制された状態で横フレーム２１に回動自在に軸支されている。
【００１８】
以上によりリヤカバー１６は、操作レバー２２の揺動操作によって、メインカバー１３に対して前後にスライド移動し、且つ所定の前後位置において、後端部が圃場面に接地するように自重により回動して姿勢を変更し、耕耘深さが浅くなるに従い圃場面に対して起立して、圃場面に対するリヤカバー１６の角度（鋭角側の角度）が９０°に近づき、耕耘深さが深くなるに従い圃場面に対して倒伏して、圃場面に対するリヤカバー１６の角度（鋭角側の角度）が０°に近づく。
【００１９】
なお前述の操作レバー２２は、トップマスト１２側に固定されたレバーガイド２５のガイド孔２５ａに挿通されており、該ガイド孔２５ａの位置決め部２０に操作レバー２２を位置させることにより、スライドフレーム１９の位置が固定され、すなわちリヤカバー１６のメインカバー１３に対する前後位置が位置決めされる。
【００２０】
そして本実施形態において上記ガイド孔２５ａの位置決め部２０は３つ設けられており、リヤカバー１６が図１に示されるようにロータリ耕耘部１１に接近近接する普通耕耘位置Ａと、図３に示されるようにロータリ耕耘部１１に対して後方に離間する深耕位置Ｂと、図４に示されるようにメインカバー１３とリヤカバー１６との間、すなわちロータリ耕耘部１１とリヤカバー１６との間に、心土破砕用のサブソイラ３６等の土中に挿入される作業機の配置が可能となるスペースをＳを設けるように、ロータリ耕耘部１１に対して後方に離間する複合作業位置Ｃとに切換えて位置決めすることができる構造となっている。
【００２１】
一方左右のパイプフレーム４には、複数の支持ブラケット３２が後方に突出するように設けられており、該支持ブラケット３２は後端がメインカバー１３の後端部分の上方に至り、この支持ブラケット３２の後端にはホルダ３３が設けられている。
【００２２】
そして各ホルダ３３内に挿通され、メインカバー１３の上方に位置するように左右方向にツールバー３４が横設されて取付けられており、該ツールバー３４に、前述の作業機、例えば図４に示されるようなサブソイラ３６を取付け支持する取付け治具３７が左右スライド及び位置決め固定自在に複数設けられている。
【００２３】
また上記メインカバー１３の後端には、左右のサイドカバー１４間に亘って、ゴム材からなる板状の仕切体３８が、その先端側がメインカバー１３の後端に回動自在に軸支されて、メインカバー１３とリヤカバー１６との間に配置されて設けられている。
【００２４】
なお上記仕切体３８と各ホルダ３３との間には、スプリング３９が介設されており、図３，図４に示されるように、リヤカバー１６の深耕位置Ｂ及び複合作業位置Ｃにおいては、仕切体３８は該スプリング３９の自然長によって、メインカバー１３の後端を側面視で直線状に延長する排出姿勢Ｙに位置（メインカバー１３に対する揺動角度）が保持される。
【００２５】
ただしリヤカバー１６の普通耕耘位置Ａにおいては、スライドフレーム１９に固定されて下方に突出する左右のプレートからなる位置規制部４１が仕切体３８の上面側に当接し、仕切体３８は、スプリング３９の付勢力に抗して、後端が圃場側を向くように湾曲する持回り姿勢Ｘに自動的に切換えられる。
【００２６】
以上に示される構造により、リヤカバー１６を普通耕耘位置Ａにセットして耕耘作業を行うと、リヤカバー１６がロータリ耕耘部１１に接近するとともに、仕切体３８が持回り姿勢Ｘとなるため、このロータリ耕耘部１１に近接するリヤカバー１６及び持回り姿勢Ｘの仕切体３８により耕耘時の前方への持回り土が増大し、この持回り土がロータリ耕耘部１１の耕耘爪９により砕土されることにより、全体として砕土性の高い耕耘作業を行うことが可能となる。
【００２７】
このため水田での耕耘又は畑での比較的浅い浅耕作業を、リヤカバー１６の普通耕耘位置Ａにおいて行うことにより、水田での耕耘及び畑での浅耕作業において、砕土性の高い耕耘作業を行うことができ、従来持回り土が比較的少ない浅耕作業においても上記のように持回り土が増大し、この増大した持回り土により、圃場の均平性が向上する。
【００２８】
なおリヤカバー１６の普通耕耘位置Ａにおいては、リヤカバー１６がロータリ耕耘部１１に近接するため、ロータリ耕耘装置１の全長が短くなり、耕耘作業の開始時に、ロータリ耕耘部１１をより枕地に近接する位置に配置することができ、これにより枕地での未耕地を少なくすることができる。
【００２９】
また上記のようにロータリ耕耘装置１の全長が短いため、ロータリ耕耘装置１を連結した状態のトラクタのリヤオーバーハングが短くなり、路上走行時の旋回時にロータリ耕耘装置１が大きく側方に突出すること等が防止され、路上走行等におけるトラクタの取扱いが容易となる。
【００３０】
一方図３に示されるようにリヤカバー１６を深耕位置Ｂにセットして耕耘作業を行うことにより、普通耕耘位置Ａに比較して、リヤカバー１６がメインカバー１３から後方に離間するため、耕耘土の前方への持回り量が減少し、特に深耕作業を行う場合は、前述のように圃場に対して寝た状態となるリヤカバー１６により耕耘土のリヤカバー１６側への排出が促進される。
【００３１】
このため水田での耕耘作業に比較してより深い耕耘となる畑での深耕作業を、リヤカバー１６の深耕位置Ｂにおいて行うことにより、増大する耕耘時の耕耘土がリヤカバー１６側に円滑に排出されるとともに、耕耘土の前方への持回りが防止され、深耕に伴う耕耘負荷の増大に加えて発生する耕耘土の持回りによる耕耘負荷の増大が防止される。
【００３２】
そして上記のような耕耘負荷の増大防止によって、深耕時のトラクタ本体への負荷が軽減され、トラクタのエンジンストップ等が防止され、安定した深耕耘作業を行なうことができる。なお排出姿勢Ｙの仕切体３８によって、上記耕耘土の持ち回りがより防止され、且つ耕耘時に飛散する耕耘土がリヤカバー１６とメインカバー１３との間から漏れ出すことが防止される。
【００３３】
またリヤカバー１６を複合作業位置Ｃにセットすることによって、上記のようにリヤカバー１６を深耕作業位置にセットした場合と同様の耕耘作業を行うことができる他、リヤカバー１６の複合作業位置Ｃでの耕耘作業時（例えば畑での深耕作業時）に、同時にサブソイラ３６等の作業機による複合作業を行うことができる。
【００３４】
例えば図４に示されるように、リヤカバー１６とロータリ耕耘部１１との間に、取付け治具３７を介してサブソイラ３６を取り付けた場合、耕耘作業と同時に、サブソイラ３６が心土破砕作業を行い、耕盤部分の土を膨軟にするとともに、耕盤溝を形成し、水はけの良い圃場の造成や、耕盤近傍の残留肥料成分を流出させて作物の健全な生育を促進することができる。
【００３５】
そしてこのときサブソイラ３６はリヤカバー１６により均平される前の状態、すなわちロータリ耕耘部１１により耕耘されて後方に排出中の飛散土の中で圃場に挿入されるため、耕耘土の抵抗を大きく受けることはなく、サブソイラ３６による作業に起因するトラクタ本体への負荷が軽減され、サブソイラ３６による上記作業を円滑に且つ安定して行うことができる。
【００３６】
以上のように本発明のロータリ耕耘装置１は、リヤカバー１６の前後位置調節によって水田及び畑の両方の圃場において耕耘作業を円滑に且つ効率良く行うことができ、農家が水田用と畑作用の２種類のロータリ耕耘装置を購入する必要は無く、農作物の生産コストを下げ、この結果農作物を安価に消費者に提供することができるようになる。
【００３７】
特に本実施形態においては、リヤカバー１６の普通耕耘位置Ａと、深耕位置Ｂと、複合作業位置Ｃとを、リヤカバー１６を着脱すること無く、操作レバー２２の揺動操作により容易に切り換えることができ、水田及び畑における耕耘作業及びサブソイラ３６等の作業機を装着した耕耘作業（複合耕耘作業）を容易に選択して行うことができ、本ロータリ耕耘装置１の汎用性は高い。
【００３８】
なおリヤカバー１６がローラ１８を介してメインカバー１３側にスライド自在に支持されているため、リヤカバー１６の位置移動を小さな力で容易に行うことができ、リヤカバー１６の位置調節の操作性も高い。
【００３９】
また前述の仕切体３８は、リヤカバー１６の普通耕耘位置Ａにおいて持回り姿勢Ｘに、リヤカバー１６の深耕位置Ｂ及び複合作業位置Ｃにおいて排出姿勢Ｙに自動的にが切り換えられるため、リヤカバー１６の普通耕耘位置Ａにおいては耕耘土の持回りを助長し、砕土性を向上させ、リヤカバー１６の深耕位置Ｂ及び複合作業位置Ｃにおいては、耕耘土をリヤカバー１６側に円滑に排出せしめ、深耕時における耕耘土の持回り負荷を軽減し、作業能率の効率化が図られる。
【００４０】
さらにメインカバー１３の上方にツールバー３４が設けられ、該ツールバー３４にサブソイラ３６等の作業機を着脱自在に取り付ける構造であるため、前記作業機を取り外した状態ではメインカバー１３の後方にリヤカバー１６の前端を可及的に接近させて耕耘作業を行うことができ、メインカバー１３の後部とリヤカバー１６前端との間からの耕耘土の飛散を防止して、リヤカバー１３による耕耘土の均平性の向上、或いはロータリ耕耘装置１の飛散土による汚れを未然に防止することができる。
【００４１】
その他取付け治具３７が左右方向にスライド及び位置決め固定自在であるため、作業機（例えばサブソイラ３６）の位置を圃場幅や、畝幅等に対応するように調節せしめ、複合作業をより効果的に行わせることも可能となる。
【００４２】
一方本実施形態において、サブソイラ３６は上下に２分割され、取付け治具３７に支持される上方側の支持杆部４２と、ナイフ部４３ａを備えた下方側の作業杆部４３とが、連結部材４４を介して連結され、全体で耕耘爪９の回転軌跡に沿った略く字状をなすように湾曲した構造となっている。このとき連結部材４４は略コ字状断面をなし、支持杆部４２の下部に固定されている。
【００４３】
また作業杆部４３の上部には左右方向に突出する連結ピン４６，４７が上下に設けられている。そして連結ピン４６，４７が連結部材４４に穿設された連結孔４８，４９に挿入されて、作業杆部４３と支持杆部４２とが連結されている。このとき上方側の連結孔４９は、下方側の連結孔４８（ピン４６）の軸心を中心とした円弧状の前後方向の長孔となっており、作業杆部４３は下方側のピン４６を中心に、上記連結孔４９（長孔）の範囲で前後揺動自在となっている。
【００４４】
ただし連結部材４４の前面には、位置決め用のボルト５１が取付けられており、連結部材４４の内部に突出するボルト５１の端部に作業杆部４３の前面が当接することによって、作業杆部４３の後方への揺動が規制される。また作業杆部４３の下端にはチゼル５２が一体的に固定されており、該チゼル５２の下面には、前後方向にリブ６０が設けられ、チゼル５２を補強している。
【００４５】
サブソイラ３６は上記のように構成されているため、ボルト５１により支持杆部４２に対する作業杆部４３の角度を調節することができ、これによりサブソイラ３６におけるチゼル５２の先端の圃場に対する食い込み角度が調節され、簡単な調節作業によってサブソイラ３６（チゼル５２）をより円滑に耕盤に挿入して安定した心土の破砕作業を行うことが可能となる。
【００４６】
なおサブソイラ３６の角度調節をサブソイラ３６の上端部分、すなわち取付け治具３７部分で行うことが無いため、角度調節によるサブソイラ３６のメインカバー１３側又はロータリ耕耘部１１への当接が防止され、ナイフ部４３ａとロータリ耕耘部１１とを近接させることができる。
【００４７】
これによりダウンカット方向に駆動されるロータリ耕耘部１１が後方に向かって耕耘土を跳ね飛ばすことにより形成される、ロータリ耕耘部１１の後方の非常に耕耘土の少ない空間内に、サブソイラ３６を位置させることができ、より低負荷で心土破砕作業等を行うことができる。
【００４８】
また作業杆部４３の摩耗等の際には、サブソイラ３６全体を交換すること無く、作業杆部４３、すなわちナイフ部４３ａのみの交換を簡単に行うことができ、サブソイラ３６のコストを下げることが可能となる。
【００４９】
一方上記リヤカバー１６の後端には、リヤカバー１６に回動自在に軸支される延長カバー５３が取り付けられており、すなわちリヤカバー１６は、上方側の上部カバーとなるリヤカバー１６の本体５５と、下方側の下部カバーとなる上記延長カバー５３とから構成されている。
【００５０】
そして上記延長カバー５３は、本体５５に対する回動によって、図１，図３，図４に示されるように本体５５の上面側に収納される非作用姿勢Ｐと、図５に示されるように本体５５の後端を後方に延長する均平作用姿勢Ｑと、図６に示されるように本体５５の下面側に位置して、耕耘土を圃場の凹部に埋め戻す埋戻し姿勢Ｒに姿勢切換え自在となっている。
【００５１】
このとき延長カバー５３は、上下が湾曲面をなすようにプラスティック又は樹脂等により一体成形されており、非作用姿勢Ｐにおいて上面となり、且つ均平作用姿勢Ｑにおいて下面となる作用湾曲面５３ａが、非作用姿勢Ｑにおいて本体５５の上面に対して連続的な湾曲面を形成して、延長カバー５３上に飛散する耕耘土を円滑に後方に向けて流下させ、且つ均平作用姿勢Ｑ時には本体５５の下面に連続して耕耘土を掻き取り圃場の凹凸を均すように形成されている。
【００５２】
このため例えば図５に示されように、水田において代掻き耕耘を行う場合、圃場が軟らかいためトラクタが沈み込みがちになり、このトラクタの沈み込みにより、トラクタの後方に連結されているロータリ耕耘装置１は相対的に圃場から上がり、ロータリ耕耘装置１は前傾姿勢となる。
【００５３】
この場合延長カバー５３によりリヤカバー１６の後端を延長しない状態では、リヤカバー１６はロッド３１によって下降限が規制されているため、後端部が圃場面に接しない状態となり、圃場の均平を行うことができなくなるケースがある。
【００５４】
これを避けるために、延長カバー５３を均平作用姿勢Ｑとすることにより、延長カバー５３の端部が圃場面上に接し、圃場の耕耘土を掻き取るように均平を行い、圃場を苗の植付けに適した凹凸の少ない平面に仕上げることができ、代掻き耕耘を効率良く行うことが可能となる。
【００５５】
また延長カバー５３を埋戻し姿勢Ｒとすることにより、延長カバー５３の端面部５３ｂが圃場面に対して略垂直に起立し、作用湾曲面５３ａの反対側の湾曲面である均し湾曲面５３ｃが圃場面上に接する。
【００５６】
これにより延長カバー５３を埋戻し姿勢Ｒとして、水田における荒起こし、畑のような水田に比較して軟らかい圃場における耕耘作業を行うことにより、耕耘初期に発生する未耕地上への耕耘土の盛り上げ（耕耘開始時に発生する凸部の土）を、延長カバー５３の端面部５３ｂが引っ張り、耕耘終了時にロータリ耕耘装置１を上昇させる際に圃場に形成される耕耘跡の凹部等の圃場の凹部に埋戻して均平性を向上させる。
【００５７】
このとき均し湾曲面５３ｃは圃場面上の接触を継続し、圃場面上の均平を行う。なお延長カバー５３を非作用姿勢Ｐとして本体５５側に収納することによって、延長カバー５３を必要としない、水田における荒起こし，畑における比較的耕耘深さが浅い浅耕作業を含む普通耕耘作業，畑における深耕作業を、延長カバー５３によって妨げられること無く行うことができる。
【００５８】
以上に示されるように、延長カバー５３の姿勢を変更して、位置決めすることにより、圃場の均平作業を圃場条件や、耕耘作業条件に応じてより正確に行わせることができる。なお延長カバー５３の姿勢固定は、延長カバー５３の非作用姿勢Ｐ及び埋戻し姿勢Ｒにおいては、延長カバー５３と本体５５とをボルト６５等により固定することにより、また均平作用姿勢Ｑにおいては、プレート７０を介してボルト等により延長カバー５３と本体５５とを固定することにより行うことができ、いずれの姿勢においても延長カバー５３と本体５５とが一体的に固定される。
【００５９】
またリヤカバー１６側の支点軸５４の挿入用の孔５６は上下方向の長孔となっており、延長カバー５３のリヤカバー１６に対する位置の微調節を行い、延長カバー５３の姿勢をより適切に保つことができるように構成されている
【００６０】
なお図７，図８に示されるように、リヤカバー１６をサイドカバー１４、又は別途用意したフレーム等にスライド自在に取り付けるように構成しても良い。すなわち左右のサイドカバー１４に前後方向のスライド孔５７を穿設せしめ、リヤカバー１６の前端から左右に突出する支点軸を上記スライド孔５７にスライド移動自在に挿入してリヤカバー１６を取り付けても良い。
【００６１】
この場合支点軸側とサイドカバー１４側との間に、支点軸をスライド孔５７の所定の位置で固定できる固定機構を設けることにより、リヤカバー１４の位置を固定することが可能となり、図７に示されるようにリヤカバー１６がロータリ耕耘部１１に接近近接する普通耕耘位置Ａと、図８に示されるようにメインカバー１３とリヤカバー１６との間、すなわちロータリ耕耘部１１とリヤカバー１６との間に、心土破砕用のサブソイラ３６等の土中に挿入される作業機の配置が可能となるスペースをＳを設けるように、リヤカバー１６がロータリ耕耘部１１に対して後方に離間する複合作業位置Ｃとに切換えて位置決めすることができる。
【００６２】
また図示しないが、複合作業位置Ｃより前方側でロータリ耕耘部１１に対して後方に離間する深耕位置Ｂにリヤカバー１６をセットすることも可能となり、本構成の場合も、リヤカバー１６の位置切換えを、スライドにより容易に行うことができ、様々な圃場条件に応じたリヤカバー１６の位置により、的確な耕耘作業を行うことができる。なお図７及び図８において、図１〜図６の符号と同一符号は同一機能を有し、このため詳細な説明は割愛する。
【００６３】
【発明の効果】
以上のように構成される本発明の構造によると、リヤカバーをロータリ耕耘部に対して接近する普通耕耘位置、並びに後方に離間する深耕位置に移動自在になすと、普通耕耘位置において水田での耕耘又は畑での比較的浅い耕耘作業が良好に行える。即ち、耕耘部において耕耘された耕耘土が耕耘部に接近するリヤカバーの存在によって前方に持ち回されて砕土性を向上させた状態での耕耘が可能である。
【００６４】
また、後方に離間する深耕位置となした場合は、畑での必要となる深耕作業が作業能率を確保しながら良好に行える。即ち、耕耘部において耕耘された耕耘土が耕耘部から後方に離間するリヤカバーの存在によって前方に持ち回されるようなことがなく、リヤカバー側にスムーズに排出されて、深耕に伴う耕耘負荷の増大に加えて発生する土の持ち回りによる耕耘負荷の増大を阻止し、全体として耕耘負荷の増大によるトラクタ側のエンジンストップ等が防止され、能率的な耕耘作業が行える。
【００６５】
さらに、普通耕耘位置ではリヤカバーが前方側に位置するので枕地での未耕地を少なくすることができると共に、路上走行等における旋回時にロータリ耕耘装置が大きく側方にはみ出すということも防止できる。従って、水田用と畑作用のロータリ耕耘装置といった二種類のロータリ耕耘装置を農家において購入する必要がなくなって、単一のロータリ耕耘装置でもって両者の作業が可能となり、農作物の生産コストを押さえ、引いては農産物を安く消費者に提供できる効果がある。
【００６６】
一方リヤカバーをロータリ耕耘部に対して接近する普通耕耘位置、並びに後方に離間して耕耘部とリヤカバー間に作業機を設置する複合作業位置に移動自在になすと、前述の水田での耕耘、及び畑での深耕が可能となると共に、耕耘部とリヤカバー間に作業機を装着して、例えば耕耘作業と同時にサブソイラ等を用いた心土破砕作業を同時に行うことができ、これにより耕盤に溝を形成して水はけの良い圃場の造成、そして、圃場の残留肥料成分を流出させて作物の健全な生育を促進することができる。
【００６７】
さらに比較的接近する深耕位置、並びに後方に離間して耕耘部とリヤカバー間に作業機を設置する複合作業位置に移動自在になすと、前述の畑での耕耘並びに作業機を装着した複合作業を選択して行うことができる。
【００６８】
そしてリヤカバーをロータリ耕耘部に対して接近する普通耕耘位置、後方に離間する深耕位置、並びに後方に更に離間して耕耘部とリヤカバー間に作業機を設置する複合作業位置に移動自在になすと前述の水田及び畑での耕耘作業、そして、作業機を装着した複合作業を選択して行うことができ、汎用性が一段と向上する。
【００６９】
仕切体を耕耘部により耕耘される耕耘土を持ち回るように耕耘部に接近する持回り姿勢になすと、前述の普通耕耘位置に配置したリヤカバーによる耕耘土の持ち回りを助長し一層、砕土性が向上する。また、耕耘土をリヤカバー側に排出する排出姿勢になすと深耕時における耕耘土の持ち回り負荷を軽減し、作業能率の効率化が図れる。
【００７０】
またメインカバーの上方にツールバーを横設し、当該ツールバーに耕耘部とリヤカバーとの間に設置する作業機を着脱自在に取付可能になすと、前述の複合作業が行えると共に、作業機を取り外した際に、メインカバーの後部にリヤカバーの前端を可及的に接近させて普通耕耘作業を行うことができ、例えば耕耘作業時にメインカバーの後部とリヤカバー前端の間からの耕耘土の飛散を防止して、リヤカバーによる耕耘土の均平性の向上、或いはロータリ耕耘装置の飛散土による汚れを未然に防止することができる。
【００７１】
そしてリヤカバーを前後方向にスライド移動自在に支持すると、前述の普通耕耘位置、深耕位置、或いは複合作業位置への移動が労力少なく、迅速且つスムーズに行うことができる。
【図面の簡単な説明】
【図１】  リヤカバーが普通耕耘位置にセットされたロータリ耕耘装置の側面図である。
【図２】  ロータリ耕耘装置の平面図である。
【図３】  リヤカバーが深耕位置にセットされたロータリ耕耘装置の側面図である。
【図４】  リヤカバーが複合作業位置にセットされたロータリ耕耘装置の側面図である。
【図５】  延長カバーを均平作用姿勢にセットして代掻き耕耘を行っている状態のロータリ耕耘装置の側面図である。
【図６】  延長カバーを埋戻し姿勢にセットして耕耘作業を行っている状態のロータリ耕耘装置の側面図である。
【図７】  リヤカバーをサイドカバーにスライド自在に支持させ、リヤカバーを普通耕耘位置にセットしたロータリ耕耘装置の側面図である。
【図８】  リヤカバーをサイドカバーにスライド自在に支持させ、リヤカバーを複合作業位置にセットしたロータリ耕耘装置の側面図である。
【符号の説明】
１１    ロータリ耕耘部
１３    メインカバー
１６    リヤカバー
３４    ツールバー
３６    作業機
３８    仕切体
Ａ      普通耕耘位置
Ｂ      深耕位置
Ｃ      複合作業位置
Ｘ      持回り姿勢
Ｙ      排出姿勢
【図１】
0003878031.tif 000002
【図２】
0003878031.tif 000003
【図３】
0003878031.tif 000004
【図４】
0003878031.tif 000005
【図５】
0003878031.tif 000006
【図６】
0003878031.tif 000007
【図７】
0003878031.tif 000008
【図８】
0003878031.tif 000009